(57)【特許請求の範囲】
【請求項１】
電子メールアドレスの登録を受け付けるサーバコンピュータであって、
電子メールアドレスを登録するユーザの主となる電子メールアドレスの入力を受け付ける手段と、
電子メールアドレスを登録するユーザの従となる電子メールアドレスの入力を受け付ける手段と、
前記主となる電子メールアドレスと、前記従となる電子メールアドレスとを関連付けて記憶する記憶手段と、
電子メールアドレスを検索するユーザから、検索対象の従となる電子メールアドレスを受け付ける手段と、
受け付けた従となる電子メールアドレスを前記記憶手段から検索し、
従となる電子メールアドレスが抽出された場合であって、抽出された従となる電子メールアドレスに関連付けられた主となる電子メールアドレスに関連付けられたメールアドレスの公開に関する情報に、検索するユーザを確認する旨が記録されている場合には、検索するユーザに関する情報を、前記電子メールアドレスを登録したユーザに通知する手段と
を備えることを特徴とするサーバコンピュータ。
【請求項２】
請求項１に記載のサーバコンピュータであって、電子メールアドレスを登録するユーザの認証処理を行なうことを特徴とするサーバコンピュータ。
【請求項３】
請求項１に記載のサーバコンピュータであって、電子メールアドレスを検索するユーザの認証処理を行なうことを特徴とするサーバコンピュータ。
【請求項４】
請求項１〜３のいずれか一項記載のサーバコンピュータであって、前記主となる電子メールアドレスは１つ記憶し、前記従となる電子メールアドレスは複数記憶することを許容することを特徴とするサーバコンピュータ。
【発明の詳細な説明】
【０００１】
【発明の属する技術分野】
本発明は、電子メールアドレスの管理を行なうシステムに関する。
【０００２】
【従来の技術】
コンピュータネットワーク、特にインターネットの普及から、電子メールを利用した通信が広く行なわれるようになっている。インターネットにおける電子メールは、電子メールアドレスと呼ばれる識別子を宛先として、希望する相手に送信する。
【０００３】
電子メールアドレスは、一般にユーザ名（ユーザコード）と、そのユーザが所属するドメイン名との間に「＠」を入れた形式で表現される。電子メールは、この電子メールアドレスでユーザを特定し、相手の情報端末に送信することができるため、時間、場所を気にすることなく、相手に情報を伝達することが可能となる。
【０００４】
【発明が解決しようとする課題】
しかし、ユーザが転職したり、プロバイダを変更すること等により、ユーザの所属するドメインが変わった場合には、電子メールアドレスも変更しなければならない。このような場合、変更前の電子メールアドレスを閉鎖すると、変更前の電子メールアドレスを宛先として送信した電子メールは、宛先不明で送り主に返送されてしまう。このため、変更前の電子メールアドレスしか知らない送り主は、相手に電子メールを送ることができなくなってしまう。
【０００５】
また、ユーザによっては複数のプロバイダと契約するなど、複数の電子メールアドレスを保有している場合がある。このとき、メインに利用している電子メールアドレス以外の電子メールアドレス宛に送信した電子メールは、相手が着信に気づくのが遅くなってしまうおそれがある。このため、電子メールの送り主としては、相手が現在メインとしている電子メールアドレスを知ることができれば便利である。
【０００６】
本発明の第１の目的は、電子メールアドレスを変更した利用者または複数の電子メールアドレスを有する利用者が、現在メインとして利用している電子メールアドレスを登録することができるシステムを提供することにある。
【０００７】
また、本発明の第２の目的は、電子メールを送る相手が現在メインとして利用している電子メールアドレスを検索することができる技術を提供することにある。
【０００８】
【課題を解決するための手段】
上記課題を解決するため、本発明は、電子メールアドレスの登録を受け付けるサーバコンピュータであって、
電子メールアドレスを登録するユーザの主となる電子メールアドレスの入力を受け付ける手段と、
電子メールアドレスを登録するユーザの従となる電子メールアドレスの入力を受け付ける手段と、
前記主となる電子メールアドレスと、前記従となる電子メールアドレスとを関連付けて記憶する記憶手段と、
電子メールアドレスを検索するユーザから、検索対象の従となる電子メールアドレスを受け付ける手段と、
受け付けた従となる電子メールアドレスを前記記憶手段から検索し、
従となる電子メールアドレスが抽出された場合であって、抽出された従となる電子メールアドレスに関連付けられた主となる電子メールアドレスに関連付けられたメールアドレスの公開に関する情報に、検索するユーザを確認する旨が記録されている場合には、検索するユーザに関する情報を、前記電子メールアドレスを登録したユーザに通知する手段と
を備えることを特徴とするサーバコンピュータを提供する。
【００１２】
【発明の実施の形態】
以下、本発明の実施の形態について図面を参照して詳細に説明する。
【００１３】
本実施の形態では、本発明をメールアドレス管理システムに適用した場合を説明する。図１は、メールアドレス管理システムの概要を説明する図である。
【００１４】
図示するように、メールアドレス管理システム１１は、サーバコンピュータ１０上に構成される。サーバコンピュータ１０は、電話回線等の回線を介してインターネット３０に接続されている。
【００１５】
インターネット３０には、複数の端末コンピュータ２０ａ、２０ｂ…が、電話回線等の回線を介して接続される。メールアドレス管理システム１１の利用者は、自らが使用可能である端末コンピュータ２０を使用して、サーバコンピュータ１０にアクセスすることができる。
【００１６】
メールアドレス管理システム１１の利用者のうち、メールアドレスを登録する利用者は、現在メインとして利用しているメールアドレスと、過去に利用していたメールアドレスあるいはサブとして利用しているメールアドレスをメールアドレス管理システム１１に登録することができる。
【００１７】
一方、メールアドレスを検索する利用者は、検索対象者の過去のメールアドレス、あるいはサブとして利用しているメールアドレスをメールアドレス管理システム１１に送信する。すると、メールアドレス管理システム１１は、受け付けたメールアドレスをキーにデータベースを検索し、抽出されたメールアドレスの登録主の現在メインとして利用しているメールアドレスを利用者に通知する。このようにして、検索者は、検索対象者が現在メインとして利用しているメールアドレスを入手することができる。
【００１８】
サーバコンピュータ１０は、例えば、図２に示すようなハードウェアシステムを用いて構成することができる。本図において、サーバコンピュータ１０は、中央演算処理装置（ＣＰＵ）５１と、主記憶装置５２と、画像処理装置５３と、通信制御装置５４と、外部記憶装置５５と、入力制御装置５６と、これらを接続するシステムバス５７とを備えている。
【００１９】
サーバコンピュータ１０には、入力制御装置５６を介して、キーボード５８と、マウス５９とが接続される。また、画像処理装置５３を介して画像出力装置であるモニタ６０が接続される。そして、通信制御装置５４を介してインターネット３０に接続される。もちろん、サーバコンピュータ１０のハードウェア構成は本例に限られるものではない。
【００２０】
ＣＰＵ５１は、サーバコンピュータ１０の中心的な制御を行う装置で、プログラムを解読して、実行する機能を有している。主記憶装置５２は、サーバコンピュータ１０が取り扱うデータ、プログラム等を一時的に格納する機能を有している。画像処理装置５３は、画像を生成するための演算等を行う。通信制御装置５４は、例えばモデム、ＴＡ等の機器から構成され、ネットワークを介したデータの送受信の制御を行う。外部記憶装置５５は、例えばハードディスク装置等から構成され、基本ソフト、アプリケーションソフト、その他各種データ等が不揮発的に格納される。入力制御装置５６は、操作者の指示を受け付ける際のデータ制御を行う。
【００２１】
サーバコンピュータ１０上に構築されるメールアドレス管理システム１１には、ＷＷＷサーバプログラム１２が組み込まれている。このプログラムにしたがって、ＣＰＵ５１が処理を行なうことで、本システム全体を制御する。メールアドレス管理システム１１は、メール送受信手段１３およびデータベース管理手段１４を備えており、それぞれ、ＷＷＷサーバプログラム１２にしたがって、メールの送受信、管理するデータベースのデータの読み書き等を行なう。
【００２２】
メールアドレス管理システム１１には、データベース管理手段１４が管理するデータベースとして、登録会員データベース１５、メールアドレスデータベース１６、保留情報データベース１７が備えられている。
【００２３】
登録会員データベース１５は、本システムに会員として登録した利用者に関する情報を格納するデータベースである。図３は、登録会員データベース１５に登録する情報の一例を示す図である。本図に示すように、登録会員データベースは、会員ＩＤ１５１、会員名１５２、パスワード１５３、現在メールアドレス１５４、住所１５５、メールアドレス公開情報１５６を格納している。
【００２４】
会員ＩＤ１５１は、会員を特定するための識別子を格納する。会員名１５２は、会員の名前を格納する。パスワード１５３は、会員ＩＤ１５１との組合せにより会員の認証に使用するコードを格納する。現在メールアドレス１５４は、会員が現在使用しているメールアドレスを格納する。住所１５５は、会員の住所を格納する。メールアドレス公開情報１５６は、会員が、メールアドレス検索の対象になったときに、現在メールアドレス１５４の開示を了承するかどうかの情報を格納する。具体的には、本実施例では「開示」「非開示」「相手確認」のいずれかが格納される。「開示」が格納されている会員の現在メールアドレスは、無条件で検索相手に開示される。「非開示」が格納されている会員の現在メールアドレスは、開示されない。「相手確認」が格納されている会員の現在メールアドレスは、検索相手を確認し、会員が開示することを了承した場合に検索相手に開示される。
【００２５】
登録会員データベース１５に格納する項目は、上記のものに限られず、例えば、年齢、性別、職業等の個人情報、クレジットカード情報等を格納するようにしてもよい。
【００２６】
メールアドレスデータベース１６は、登録を受け付けたメールアドレスを、会員ＩＤと関連付けて格納する。メールアドレスデータベース１６に格納されるメールアドレスは、検索のキーとなるメールアドレスであり、会員が過去に使用していたメールアドレス、普段使用しないメールアドレス等である。メールアドレスデータベース１６には、検索の便宜のため、例えば、メールアドレスを使用していた時期に関する情報等を格納するようにしてもよい。
【００２７】
保留情報データベース１７は、会員から受け付けたメールアドレスの検索要求に対し、対象のメールアドレスが発見されなかった場合に、その検索要求に関する情報を格納する。保留情報データベース１７は、例えば、会員ＩＤと検索のキーとなるメールアドレスとを関連付けて格納するようにする。保留情報データベース１７に格納された検索要求に関する情報は、後に、登録会員データベース１５あるいはメールアドレスデータベース１６が更新された場合に、再検索される。
【００２８】
なお、上記のメールアドレス管理システム１１の各手段、各データベースは、複数のコンピュータに分散させるようにしてもよい。
【００２９】
端末コンピュータ２０は、サーバコンピュータ１０と同様に、図２に示すようなハードウェアシステムを用いて構成することができる。さらに、プリンタ等の印刷機器、磁気ディスクドライブ等の補助記憶装置等を備えるようにしてもよい。もちろん、これらの構成に限定されるわけではない。
【００３０】
次に、本実施の形態におけるメールアドレス管理システム１１の処理について、図面を用いて説明する。
【００３１】
まず、利用者が、メールアドレスをメールアドレス管理システム１１に登録するときの処理について、図4を参照して説明する。
【００３２】
図４は、利用者が、端末コンピュータ２０を用いて、メールアドレス管理システム１１にアクセスしたときに、端末コンピュータ２０に接続されたモニタ６０に表示される画面の遷移の一例を示す図である。
【００３３】
利用者は、まず、メールアドレス登録ページ３００を表示させる。そして、メールアドレス管理システム１１に登録を済ましていない非会員であれば、「非会員」ボタン３０１をクリックし、登録済みの会員であれば「会員」ボタン３０２をクリックすることができる。
【００３４】
「非会員」ボタン３０１のクリックを受け付けたシステム１１は、会員登録処理として、会員情報、メールアドレス入力画面３１０を表示させ、利用者の入力を促す。メールアドレス入力画面３１０は、図示するように会員情報入力欄３１１と、メールアドレス入力欄３１２と、「登録」ボタン３１３とを備えている。
【００３５】
利用者は、本画面において、会員情報入力欄３１１に、登録会員データベース１５に格納する情報のうち、会員ＩＤ１５１とパスワード１５３とを除いた情報を入力することができる。具体的には、会員名、現在メールアドレス、住所、メールアドレス公開情報等を入力する。
【００３６】
そして、メールアドレス入力欄３１２に、登録すべきメールアドレス、すなわち、過去に使用していたメールアドレス、普段使用しないサブのメールアドレス等を等を入力することができる。
【００３７】
利用者は、会員情報入力欄３１１とメールアドレス入力欄３１２とに必要な情報を入力し、「登録」ボタン３１３をクリックすることができる。
【００３８】
「登録」ボタン３１３のクリックを受け付けたシステム１１は、会員ＩＤとパスワードを発行する（Ｓ１０１）。そして、入力された会員情報を、発行した会員ＩＤとパスワードとを関連付けて登録会員データベース１６に格納する（Ｓ１０２）。また、メールアドレス入力欄３１２に入力されたメールアドレスを、発行した会員ＩＤと関連付けて、メールアドレスデータベース１７に格納する（Ｓ１０２）。
【００３９】
そして、会員ＩＤ、パスワード通知画面３２０を表示させ、発行した会員ＩＤとパスワードとを、利用者に通知して、メールアドレス登録処理を終了する。
【００４０】
メールアドレス登録ページ３００で「会員」ボタン３０２のクリックを受け付けると、システム１１は、認証画面３３０を表示させ、会員ＩＤとパスワードの入力を促す。
【００４１】
そして「ＯＫ」ボタン３３２のクリックを受け付けると、会員ＩＤ、パスワード入力欄３３１に入力された会員ＩＤとパスワードとをキーに、登録会員データベース１５を検索し、会員情報を抽出することで、会員認証を行なう（Ｓ１０３）。
【００４２】
会員認証の結果、会員情報が抽出され認証されると、システム１１は、メールアドレス入力画面３４０を表示させる。このとき、抽出された登録会員情報を、登録会員情報表示欄３４１に表示する。また、すでに登録されているメールアドレスを、会員ＩＤをキーに、メールアドレスデータベース１６から抽出し、メールアドレス入力欄３４２に表示する。
【００４３】
本画面３４０において、利用者は、登録するメールアドレスをメールアドレス入力欄３４２に追加することができる。また、会員情報に変更があるときは、会員情報表示欄３４１に表示されている会員情報を修正することができる。特に、メインに利用するメールアドレスを変更した場合は、会員情報表示欄３４１に表示されている現在メールアドレスを、メールアドレス入力欄３４２に転記し、新たにメインに利用するメールアドレスを会員情報表示欄３４１の現在メールアドレス欄に入力する。
【００４４】
システム１１は、「登録」ボタン３４３のクリックを受け付けると、会員情報表示欄３４１に変更が加えられている場合には、登録会員データベース１５を更新し、メールアドレス入力欄３４２にメールアドレスが追加されている場合には、メールアドレスデータベース１６にデータを追加して、メールアドレスの登録処理を終了する。
【００４５】
次に、メールアドレス管理システム１１が、利用者の要求を受けて、過去等のメールアドレスをキーに現在のメールアドレスを検索する処理について図面を参照して説明する。なお、以下の説明では、検索を行なう利用者を検索者、検索対象となっているメールアドレスの持ち主を検索対象者と称する。
【００４６】
図７は、利用者が、メールアドレスを検索するために、メールアドレス管理システム１１にアクセスしたときに表示される画面の例と、メールアドレス管理システム１１から送信される電子メールの内容の例とを示す図である。
【００４７】
まず、会員登録を済ませている検索者が、メールアドレスの検索を行なう場合について、図５のフロー図を参照して説明する。
【００４８】
はじめに、メールアドレス管理システム１１は、検索者が会員であることを確かめるために、検索者に会員ＩＤとパスワードの入力を促し、認証処理を行う（Ｓ２０１）。認証処理の結果、会員登録を済ませてあることを確認すると、メールアドレス管理システム１１は、図７（ａ）に示すような画面を表示させて、検索のキーとなるメールアドレスの入力を検索者に促す（Ｓ２０２）。
【００４９】
検索者から検索のキーとなるメールアドレスの入力を受け付けると、システム１１は、メールアドレスデータベース１６に、受け付けたメールアドレスが存在するかどうかを調べる（Ｓ２０３）。
【００５０】
そして、メールアドレスデータベース１６から、受け付けたメールアドレスが発見されないときは、図７（ｂ）に示すような画面を検索者の端末コンピュータ２０のモニタ６０に表示させて、該当するメールアドレスが発見されなかった旨および該当するメールアドレスが将来登録された場合には連絡する旨を、検索者に通知する（Ｓ２０４）。
【００５１】
システム１１は、発見されなかったメールアドレスと、検索者の会員ＩＤとを保留情報データベース１７に登録して処理を終了する（Ｓ２０５）。
【００５２】
メールアドレスデータベース１６から、受け付けたメールアドレスが発見されたときは、受け付けたメールアドレスに係る会員ＩＤをメールアドレスデータベース１６から抽出し、登録会員データベース１５を参照する。そして、当該会員のデータを抽出して、抽出された会員データのメールアドレス公開情報１５７を調べる（Ｓ２０６）。
【００５３】
メールアドレス公開情報１５７が、「公開」であれば、検索者の端末コンピュータ２０に、抽出された会員データ、すなわち、検索対象者の現在メールアドレス１５４を表示させる（図７（ｃ）、Ｓ２０７）。
【００５４】
メールアドレス公開情報１５７が、「非公開」であれば、該当するメールアドレスが発見されなかった旨（あるいは、メールアドレスが非公開である旨）および該当するメールアドレスが将来登録された場合（公開された場合）には通知する旨を、検索者の端末コンピュータ２０に表示させる（図７（ｂ）、Ｓ２１４）。そして、検索のキーとなるメールアドレスと、検索者の会員ＩＤとを保留情報データベース１７に登録して処理を終了する（Ｓ２１５）。
【００５５】
メールアドレス公開情報１５７が、「相手確認」であれば、該当するメールアドレスが発見されなかった旨および該当するメールアドレスが将来登録された場合には通知する旨を、検索者の端末コンピュータ２０に表示させ（図７（ｂ）、Ｓ２０９）、いったん処理を終了する。
【００５６】
その後、検索対象者に対して、図７（ｄ）に示すような、検索者の情報を通知し、メールアドレスを公開してよいかどうかの確認を求める電子メールを送信する（Ｓ２１０）。検索者の情報は、認証時に入力した会員ＩＤをキーに登録会員データベース１５を参照して得ることができる。また、通知する検索者の情報は、例えば、名前、住所、電子メールアドレス等とすることができる。
【００５７】
なお、電子メールに確認番号を付しておき、回答にも同じ番号を付してもらうことにより、検索対象者からの回答と検索案件とを照合させることができるようになる。もちろん照合方法はこれに限られるものではない。
【００５８】
その結果、検索対象者から電子メールアドレスの公開を了承する旨の回答を受けた場合は、図７（ｆ）に示すような、検索者に検索対象者の電子メールアドレスを通知する電子メールを送信する（Ｓ２１２）。
【００５９】
一方、検索対象者から電子メールアドレスの公開を認めない旨の回答を受けた場合は、検索のキーとなるメールアドレスと、検索者の会員ＩＤとを保留情報データベース１７に登録して処理を終了する（Ｓ２１３）。
【００６０】
以上の処理により、検索者は、検索対象者の現在のメールアドレスを入手することができる。また、検索対象者は、自己のメールアドレスを公開するかどうかの判断を、検索者の情報を確認して行なうことができる。
【００６１】
次に、会員登録を済ませていない検索者が、メールアドレスの検索を行う場合について、図６のフロー図を参照して説明する。
【００６２】
まず、メールアドレス管理システム１１は、検索のキーとなるメールアドレスの入力を検索者に促す（図７（ａ）、Ｓ３０１）。
【００６３】
検索者から検索のキーとなるメールアドレスの入力を受け付けると、システム１１は、メールアドレスデータベース１６に、受け付けたメールアドレスが存在するかどうか調べる（Ｓ３０２）。
【００６４】
そして、メールアドレスデータベース１６から、受け付けたメールアドレスが発見されないときは、図７（ｅ）に示すように、該当するメールアドレスが発見されなかった旨および会員登録をすれば該当するメールアドレスが将来登録された場合に通知する旨を、登録ボタンと終了ボタンとともに検索者の端末コンピュータ２０に表示させる（Ｓ３０３）。
【００６５】
検索者が会員登録を望まずに、終了ボタンをクリックした場合は、処理を終了する。
【００６６】
検索者が登録を望み、登録ボタンをクリックした場合は、会員登録処理として、図４に示した会員情報、メールアドレス入力画面３１０を表示させる。そして登録内容の入力を受け付け、登録会員データベースに記録する（Ｓ３１６）。そして、検索のキーとなるメールアドレスと、登録時に設定した会員ＩＤとを保留情報データベース１７に記録して（Ｓ３１７）、処理を終了する。
【００６７】
メールアドレスデータベース１６から、受け付けたメールアドレスが発見されたときは、受け付けたメールアドレスに係る会員ＩＤをメールアドレスデータベース１６から抽出し、登録会員データベース１５を参照しする。そして、当該会員のデータを抽出して、抽出された会員データのメールアドレス公開情報１５７を調べる（Ｓ３０４）。
【００６８】
メールアドレス公開情報１５７が、「公開」であれば、検索者の端末コンピュータ２０に、検索対象者の現在メールアドレス１５４を表示させる（図７（ｃ）、Ｓ３０５）。
【００６９】
メールアドレス公開情報１５７が、「公開」でなければ、該当するメールアドレスが発見されなかった旨および会員登録をすれば該当するメールアドレスが将来登録された場合に通知する旨を、登録ボタンと終了ボタンとともに検索者の端末コンピュータ２０に表示させる（図７（ｅ）、Ｓ３０６）。
【００７０】
検索者が会員登録を望まずに、終了ボタンをクリックした場合は、処理を終了する。
【００７１】
検索者が登録を望み、登録ボタンをクリックした場合は、会員登録処理として、図４に示した会員情報、メールアドレス入力画面３１０を表示させる。そして登録内容の入力を受け付け、登録会員データベースに記録する（Ｓ３０８）。そして、いったん処理を終了する。
【００７２】
次に、処理Ｓ３０４で抽出された検索対象者の会員情報のメールアドレス公開情報１５７が、「非公開」であれば、検索のキーとなるメールアドレスと、検索者の会員ＩＤとを保留情報データベース１７に登録して処理を終了する（Ｓ３１０）。
【００７３】
メールアドレス公開情報１５７が、「相手確認」であれば、検索対象者に対して、図７（ｄ）に示すような、検索者の情報を通知し、メールアドレスを公開してよいかどうかの確認を求める電子メールを送信する（Ｓ３１１）。
【００７４】
その結果、検索対象者から電子メールアドレスの公開を了承する旨の回答を受けた場合は、検索者に電子メールアドレスを通知する電子メールを送信する（Ｓ３１３）。検索者の情報は、会員登録時に入力した情報を参照して得ることができる。また、通知する検索者の情報は、例えば、名前、住所、電子メールアドレス等とすることができる。
【００７５】
なお、電子メールに確認番号を付しておくことにより、検索回答者からの回答と照合させることができるようになる。
【００７６】
その結果、検索対象者から電子メールアドレスの公開を了承する旨の回答を受けた場合は、検索者に検索対象者の電子メールアドレスを通知する電子メールを送信する（図７（ｆ）、Ｓ３１３）。
【００７７】
一方、検索対象者から電子メールアドレスの公開を認めない旨の回答を受けた場合は、検索のキーとなるメールアドレスと、検索者の会員ＩＤとを保留情報データベース１７に登録して処理を終了する（Ｓ３１４）。
【００７８】
以上の処理により、検索者は、会員登録をしなくても検索対象者がメールアドレスを公開していれば、現在のメールアドレスを入手することができる。
【００７９】
次に、保留情報データベース１７に記録したメールアドレスと検索者の会員ＩＤとから、再度メールアドレスの検索を行なう処理について説明する。
【００８０】
電子メール管理システム１１は、登録会員データベース１５またはメールアドレスデータベース１６の内容が更新されると、保留情報データベース１７に記録されているメールアドレスをキーに、メールアドレスデータベース１６を検索する。その結果、メールアドレスが発見された場合は、そのメールアドレスに係る会員ＩＤをメールアドレスデータベース１６から抽出し、登録会員データベース１５を参照して、当該会員のメールアドレス公開情報１５７を抽出する。そして、メールアドレス公開情報１５７が、「公開」であれば、保留情報データベース１７の検索者の会員ＩＤに該当する会員の電子メールアドレスを登録会員データベース１５から抽出し、その電子メールアドレスに、検索対象者の電子メールアドレス情報を送信する。そして、保留情報データベース１７から送信した情報に係るデータを削除する。
【００８１】
このようにすることで、最初の検索時には未登録、または、メールアドレス公開情報１５７が「非公開」であったために、通知することができなかった検索対象者の電子メールアドレスを、再検索して公開可能な状況であれば通知することができるようになる。
【００８２】
なお、上述の例では、電子メールアドレスをキーに、検索対象者の最新の電子メールアドレスを抽出するようにしていたが、本発明は、これに限らず、例えば、検索対象者の電話番号、氏名等をキーに、最新の電子メールアドレスを抽出するようにすることもできる。
【００８３】
【発明の効果】
上述のように、本発明によれば、電子メールアドレスを変更した利用者または複数の電子メールアドレスを有する利用者が、現在メインとして利用している電子メールアドレスを登録することができるようになる。
【００８４】
また、電子メールを送る相手が現在メインとして利用している電子メールアドレスを検索することができるようになる。
【図面の簡単な説明】
【図１】は、メールアドレス管理システムの概要を説明する図である。
【図２】は、サーバコンピュータのハードウェア構成の一例を説明するためのブロック図である。
【図３】は、登録会員データベースに登録する情報の一例を示す図である。
【図４】は、利用者が、メールアドレスを登録するために、メールアドレス管理システム１１にアクセスしたときに表示される画面の遷移の一例を示す図である。
【図５】は、会員登録を済ませている検索者が、メールアドレスの検索を行なう場合の処理を説明するためのフロー図である。
【図６】は、会員登録を済ませていない検索者が、メールアドレスの検索を行なう場合の処理を説明するためのフロー図である。
【図７】は、利用者が、メールアドレスを検索するために、メールアドレス管理システム１１にアクセスしたときに表示される画面の例と、メールアドレス管理システム１１から送信される電子メールの内容の例とを示す図である。
【符号の説明】
１０…サーバコンピュータ
１１…メールアドレス管理システム
１２…ＷＷＷサーバプログラム
１３…メール送受信手段
１４…データ管理手段
１５…登録会員データベース
１６…メールアドレスデータベース
１７…保留情報データベース
２０…端末コンピュータ
２１…ＷＷＷブラウザ
２２…メール送受信手段
３０…インターネット
５１…ＣＰＵ、５２…主記憶装置、５３…画像処理装置
５４…通信制御装置、５５…外部記憶装置、５６…入力制御装置
５７…システムバス
５８…キーボード、５９…マウス、６０…モニタ
【図１】
0004454826.tif 000002
【図２】
0004454826.tif 000003
【図３】
0004454826.tif 000004
【図４】
0004454826.tif 000005
【図５】
0004454826.tif 000006
【図６】
0004454826.tif 000007
【図７】
0004454826.tif 000008